(57)【要約】【課題】酸性溶液を貯留するタンクの周辺に配置された部材への酸性溶液の付着を抑制すること。【解決手段】実施形態に係る衛生洗浄装置は、ノズルと給水路と逆流防止機構と溶液投入部と制御部とを備える。逆流防止機構は、給水路に設けられたタンクと、給水路のうち上流側給水路に連通し、タンクの内部に水を流入させる入水口と、タンクの内部の水を下流側給水路へ流出させる流出口と、入水口との間にエアギャップを形成するように設けられたオーバーフロー口とを備える。溶液投入部は使用者によって投入された酸性溶液をタンクに供給する。制御部は、スケール除去モードへの移行指示を受け付けた場合に、タンクに貯留された酸性溶液を下流側給水路およびノズルに充填し、その後、排出するスケール除去処理を実行する。また、制御部は、タンクの内部の水を排出する排水処理を行った後で、スケール除去処理を実行する。【選択図】図１３
2019027012.tif 000002
【特許請求の範囲】
【請求項１】
使用者の局部へ向けて水を吐出するノズルと、
前記ノズルに水を供給する給水路と、
前記給水路に設けられたタンクと、前記給水路のうち前記タンクより上流側に位置する上流側給水路に連通し、前記タンクの内部に水を流入させる入水口と、前記給水路のうち前記タンクより下流側に位置する下流側給水路に連通し、前記タンクの内部の水を前記下流側給水路へ流出させる流出口と、前記入水口との間にエアギャップを形成するように設けられ、前記タンクの内部の余剰水を排出するオーバーフロー口とを備える逆流防止機構と、
使用者によって投入された酸性溶液を前記タンクに供給する溶液投入部と、
スケール除去モードへの移行指示を受け付けた場合に、前記タンクに貯留された酸性溶液を前記下流側給水路および前記ノズルに充填し、その後、前記下流側給水路および前記ノズルから酸性溶液を排出するスケール除去処理を実行する制御部と
を備え、
前記制御部は、
前記スケール除去モードへの移行指示を受け付けた場合に、前記タンクの内部の水を排出する排水処理を行った後で、前記スケール除去処理を実行すること
を特徴とする衛生洗浄装置。
【請求項２】
前記制御部は、
前記排水処理を行うことにより、前記タンクの内部の水位を予め決められた水位にすること
を特徴とする請求項１に記載の衛生洗浄装置。
【請求項３】
前記制御部は、
前記排水処理を行うことにより、前記流出口から排出可能な全ての水を前記タンクの内部から排出すること
を特徴とする請求項１に記載の衛生洗浄装置。
【請求項４】
前記タンクの内部の水位を検知する水位検知部
をさらに備え、
前記制御部は、
前記水位検知部によって前記タンクの内部の水位が満水位の半分の水位よりも低い低水位未満であることが検知された場合には、前記排水処理を行うことなく、前記スケール除去処理を実行すること
を特徴とする請求項１〜３のいずれか一つに記載の衛生洗浄装置。
【請求項５】
前記制御部は、
前記水位検知部によって前記タンクの内部の水位が満水位の半分の水位よりも高い高水位であることが検知された場合に、前記タンクの内部の酸性溶液を排出する排液処理を実行すること
を特徴とする請求項４に記載の衛生洗浄装置。
【請求項６】
前記制御部は、
前記排液処理を実行した場合に、前記スケール除去モードへの移行指示を受け付けることなく前記スケール除去処理を実行すること
を特徴とする請求項５に記載の衛生洗浄装置。
【請求項７】
前記制御部は、
前記スケール除去処理において、前記流出口から排出可能な全ての酸性溶液を前記下流側給水路および前記ノズルに供給する動作を複数回行うことにより、前記タンクに貯留された酸性溶液を前記下流側給水路および前記ノズルに充填すること
を特徴とする請求項１〜６のいずれか一つに記載の衛生洗浄装置。
【発明の詳細な説明】
【技術分野】
【０００１】
開示の実施形態は、衛生洗浄装置に関する。
【背景技術】
【０００２】
従来、洋式便器本体の上部に配置され、吐出される水によって人体を洗浄する衛生洗浄装置が知られている。
【０００３】
硬水（硬度１２０ｍｇ／Ｌ以上の水）が用いられる地域において衛生洗浄装置を使用する場合、カルシウム等のミネラル分が析出して衛生洗浄装置内の給水路に堆積することで、給水路が閉塞するおそれがある。そこで、給水路にクエン酸等の酸性溶液を充填することによって給水路に堆積した析出物（スケール）を除去することが行われている。
【０００４】
たとえば、特許文献１には、酸性溶液を貯留する専用タンクを備え、かかるタンクに貯留された酸性溶液を給水路へ供給する衛生洗浄装置が開示されている。
【先行技術文献】
【特許文献】
【０００５】
【特許文献１】特開平０７−３２４３６５号公報
【発明の概要】
【発明が解決しようとする課題】
【０００６】
しかしながら、上述した従来技術には、タンクの周辺に配置された周辺部材への酸性溶液の付着を抑制するという点でさらなる改善の余地がある。
【０００７】
たとえば、衛生洗浄装置には、水道管への汚水の逆流を防止するために、給水路中にいわゆるエアギャップを形成するタンクを備えた逆流防止機構が設けられる場合がある。逆流防止機構のタンクにはオーバーフロー口が設けられており、タンクの水位が上昇した際に、タンクの内部の水がオーバーフロー口から溢れ出ることで、タンクよりも上流側の給水路に汚水が流れ込むことを防止することができる。しかしながら、かかる逆流防止機構のタンクに対して酸性溶液を投入することとした場合、たとえばタンクの満水位を超える量の酸性溶液がタンクに投入されることで、酸性溶液がオーバーフロー口から溢れ出てしまうおそれがある。逆流防止機構のタンクは、たとえば貯湯式の衛生洗浄装置が備える貯湯タンクと比べて容量が非常に小さいため、酸性溶液の漏洩が生じ易い。オーバーフロー口から溢れ出した酸性溶液は、タンクの周辺に配置された周辺部材に付着して周辺部材を劣化させるおそれがあるため、酸性溶液のタンクからの漏洩を生じさせないようにすることが望ましい。
【０００８】
実施形態の一態様は、酸性溶液を貯留するタンクの周辺に配置された部材への酸性溶液の付着を抑制することができる衛生洗浄装置を提供することを目的とする。
【課題を解決するための手段】
【０００９】
実施形態の一態様に係る衛生洗浄装置は、使用者の局部へ向けて水を吐出するノズルと、前記ノズルに水を供給する給水路と、前記給水路に設けられたタンクと、前記給水路のうち前記タンクより上流側に位置する上流側給水路に連通し、前記タンクの内部に水を流入させる入水口と、前記給水路のうち前記タンクより下流側に位置する下流側給水路に連通し、前記タンクの内部の水を前記下流側給水路へ流出させる流出口と、前記入水口との間にエアギャップを形成するように設けられ、前記タンクの内部の余剰水を排出するオーバーフロー口とを備える逆流防止機構と、使用者によって投入された酸性溶液を前記タンクに供給する溶液投入部と、スケール除去モードへの移行指示を受け付けた場合に、前記タンクに貯留された酸性溶液を前記下流側給水路および前記ノズルに充填し、その後、前記下流側給水路および前記ノズルから酸性溶液を排出するスケール除去処理を実行する制御部とを備え、前記制御部は、前記スケール除去モードへの移行指示を受け付けた場合に、前記タンクの内部の水を排出する排水処理を行った後で、前記スケール除去処理を実行することを特徴とする。
【００１０】
逆流防止機構のタンクに対して酸性溶液を投入することとした場合、たとえばタンクの満水位を超える量の酸性溶液がタンクに投入されることで、酸性溶液がオーバーフロー口から溢れ出てしまうおそれがある。逆流防止機構のタンクは、たとえば貯湯式の衛生洗浄装置が備える貯湯タンクと比べて容量が非常に小さいため、酸性溶液の漏洩が生じ易い。また、使用者は、たとえば説明書を読んだりリモコン等の操作部に表示される情報を閲覧したりすることにより、タンクに投入すべき酸性溶液の適正量を知ることができるが、タンクの内部に既に貯留されている水の量を知ることはできない。このため、使用者によって適正量の酸性溶液がタンクに投入されたとしても、タンクの内部に貯留されている水の量によっては、酸性溶液がオーバーフロー口から溢れ出てしまうおそれがある。これに対し、実施形態の一態様に係る衛生洗浄装置では、スケール除去処理の開始に先立ち、タンクの内部の水を排出することで、酸性溶液のオーバーフロー口からの漏洩を抑制することができる。したがって、タンクの周辺に配置される周辺部材への酸性溶液の付着を抑制することができる。
【００１１】
また、前記制御部は、前記排水処理を行うことにより、前記タンクの内部の水位を予め決められた水位にすることを特徴とする。
【００１２】
これにより、排水処理を行わない場合と比較して、オーバーフロー口からの酸性溶液の漏洩を抑制することができる。また、たとえば、タンク内に予め決められた量の水を残しつつ、使用者に酸性溶液の原液を投入させるようにすることで、使用者の手を煩わせることなく、タンク内で酸性溶液を所望の濃度に希釈することも可能である。
【００１３】
また、前記制御部は、前記排水処理を行うことにより、前記流出口から排出可能な全ての水を前記タンクの内部から排出することを特徴とする。
【００１４】
タンク内の水位を空水位とすることで、タンクの内部により多くの酸性溶液を貯留することができる。また、タンク内に残存する水によって酸性溶液が希釈されることを防止することができる。
【００１５】
また、前記タンクの内部の水位を検知する水位検知部をさらに備え、前記制御部は、前記水位検知部によって前記タンクの内部の水位が満水位の半分の水位よりも低い低水位未満であることが検知された場合には、前記排水処理を行うことなく、前記スケール除去処理を実行することを特徴とする。
【００１６】
タンク内の水位が低い場合に排水処理を省略することで、早期にスケール除去処理を開始することができ、使用者の待ち時間を短縮することができる。
【００１７】
また、前記制御部は、前記水位検知部によって前記タンクの内部の水位が満水位の半分の水位よりも高い高水位であることが検知された場合に、前記タンクの内部の酸性溶液を排出する排液処理を実行することを特徴とする。
【００１８】
これにより、たとえば、オーバーフロー口からの酸性溶液の漏洩をより確実に抑制することができる。
【００１９】
また、前記制御部は、前記排液処理を実行した場合に、前記スケール除去モードへの移行指示を受け付けることなく前記スケール除去処理を実行することを特徴とする。
【００２０】
これにより、タンクや下流側給水路の内部に酸性溶液が残存したままの状態となることを防止することができる。また、スケール除去処理に移行することで、酸性溶液が無駄に排出されることを抑制することができる。
【００２１】
また、前記制御部は、前記スケール除去処理において、前記流出口から排出可能な全ての酸性溶液を前記下流側給水路および前記ノズルに供給する動作を複数回行うことにより、前記タンクに貯留された酸性溶液を前記下流側給水路および前記ノズルに充填することを特徴とする。
【００２２】
これにより、タンクの容量が小さい場合であっても、下流側給水路およびノズルの全てに酸性溶液を充填させることができる。
【発明の効果】
【００２３】
実施形態の一態様によれば、酸性溶液を貯留するタンクの周辺に配置された部材への酸性溶液の付着を抑制することができる。
【図面の簡単な説明】
【００２４】
【図１】図１は、第１の実施形態に係る衛生洗浄装置を備えたトイレ装置を模式的に示す斜視図である。
【図２】図２は、衛生洗浄装置の構成の一例を示す説明図である。
【図３】図３は、逆流防止機構および溶液投入部の斜視図である。
【図４】図４は、逆流防止機構および溶液投入部を衛生洗浄装置の背面側から見た場合の模式断面図である。
【図５】図５は、溶液投入部の本体部の斜視図である。
【図６】図６は、溶液投入部の本体部をＡ矢視から見た図である。
【図７】図７は、図６におけるＢＢ線断面図である。
【図８】図８は、逆流防止機構および溶液投入部の平面図である。
【図９】図９は、図８におけるＣＣ線断面図である。
【図１０】図１０は、スケール除去モードにおける処理手順を示すフローチャートである。
【図１１】図１１は、スケール除去処理の処理手順を示すフローチャートである。
【図１２】図１２は、排液処理の処理手順を示すフローチャートである。
【図１３】図１３は、スケール除去モード時における衛生洗浄装置の動作例を示すタイミングチャートである。
【図１４】図１４は、第２の実施形態に係る溶液投入部の本体部の斜視図である。
【図１５】図１５は、第２の実施形態に係る溶液投入部の本体部の底面図である。
【図１６】図１６は、カバー体を取り外した状態における本体部の斜視図である。
【発明を実施するための形態】
【００２５】
以下、添付図面を参照して、本願の開示する衛生洗浄装置の実施形態を詳細に説明する。なお、以下に示す実施形態によりこの発明が限定されるものではない。
【００２６】
（第１の実施形態）
＜１．衛生洗浄装置の構成＞
図１は、第１の実施形態に係る衛生洗浄装置を備えたトイレ装置を模式的に示す斜視図である。なお、図１には、説明を分かり易くするために、互いに直交するＸ軸方向、Ｙ軸方向およびＺ軸方向を規定し、Ｚ軸正方向を鉛直上向き方向とする３次元の直交座標系を図示している。
【００２７】
図１に示すように、トイレ装置１は、洋式大便器（以下「便器」と記載する）１０と、衛生洗浄装置２０とを備え、トイレ室内に設置される。便器１０は、貯水タンク１１に貯留された水で洗浄を行うロータンク式であるが、これに限定されるものではなく、たとえばフラッシュバルブ式であってもよい。また、図１に示す例では、床置き式の便器１０を示したが、これに限られず、壁掛け式などであってもよい。
【００２８】
衛生洗浄装置２０は、便器１０の上部に設けられる。衛生洗浄装置２０は、本体部３０と、便蓋３００と、図示しない便座とを備える。便蓋３００および便座はともに、開閉可能なように本体部３０に取り付けられる。
【００２９】
本体部３０は、ケース３１と、ノズル４０とを備える。ケース３１は、ノズル４０などを収納する。
【００３０】
図２は、ノズル４０を含む衛生洗浄装置２０の構成の一例を示す説明図である。図２に示すように、ノズル４０は、水を使用者の局部等へ吐出する複数の吐出口４１を有する。ここでは、３つの吐出口４１を備えるノズル４０の例を示すが、ノズル４０が備える吐出口４１の数は、１つまたは２つであってもよいし、４つ以上であってもよい。なお、本明細書において、「水」なる表現は、必ずしも冷水の意味ではなく、温水を含む意味で使用する場合がある。
【００３１】
ノズル４０は、ケース３１（図１参照）に対して進退可能に構成される。詳しくは、たとえば、ノズル４０には、図示しないモータなどの駆動源が接続される。ノズル４０は、駆動源の駆動により、便器１０のボウル内へ進出した位置と、ケース３１内に後退して格納される位置との間で進退させられる。ノズル４０は、進出した位置で水を使用者の身体へ吐出させて局部を洗浄する。
【００３２】
衛生洗浄装置２０はさらに、給水路５０と、瞬間式熱交換器（以下、単に「熱交換器」と記載する）７０と、逆流防止機構９０と、制御部２００と、操作部２２０とを備える。なお、ノズル４０、給水路５０、熱交換器７０、逆流防止機構９０および制御部２００は、ケース３１内に配置される。
【００３３】
給水路５０は、給水源である水道管Ａからの水をノズル４０へ供給する。具体的には、給水路５０は、上流側給水路５１と、下流側給水路５２とを備える。上流側給水路５１は、水道管Ａから逆流防止機構９０までの流路であり、下流側給水路５２は、逆流防止機構９０からノズル４０までの流路である。
【００３４】
上流側給水路５１の中途部には、上流側（すなわち水道管Ａ側）から順に、ストレーナ６１、電磁弁６２および定流量弁６３が設けられる。
【００３５】
ストレーナ６１は、水道管Ａから供給される水に混入したゴミなどの異物を除去する。電磁弁６２は、非通電時に閉状態となるノーマルクローズ式のバルブであり、制御部２００からの制御信号に応じて上流側給水路５１を開閉する。定流量弁６３は、水道管Ａから流入された水を、所定の流量以下に調整して流出させる。
【００３６】
下流側給水路５２の中途部には、上流側（すなわち逆流防止機構９０側）から順に、ポンプ６４、熱交換器７０、ストレーナ６５、バキュームブレーカ６６、切替弁６７が設けられる。
【００３７】
ポンプ６４は、制御部２００からの制御信号に応じて駆動し、逆流防止機構９０のタンク９１に貯留された水をノズル４０へ供給する。
【００３８】
熱交換器７０は、ヒータ等の発熱体７１を備え、下流側給水路５２を流れる水をその流速を保ったまま設定された温度に加熱する。
【００３９】
ストレーナ６５は、下流側給水路５２を流れる水を濾過する。たとえば、ストレーナ６５は、下流側給水路５２を流れる水に含まれるスケールなどの異物を除去する。
【００４０】
バキュームブレーカ６６は、たとえば下流側給水路５２に負圧が生じた場合に、逆流する水を大気開放経路６６１へ流すことで、ノズル４０から熱交換器７０等への逆流を防止する。
【００４１】
切替弁６７は、制御部２００からの制御信号に応じて駆動し、下流側給水路５２を流れる水の流出先を切り替える。たとえば、下流側給水路５２を流れる水は、切替弁６７によって、その流出先をノズル４０が備える複数の吐出口４１のいずれかに切り替えられる。また、切替弁６７には、機能水を生成する電解槽ユニット６８が接続されており、下流側給水路５２を流れる水は、切替弁６７によって、その流出先を電解槽ユニット６８に切り替えられる。
【００４２】
電解槽ユニット６８は、その内部に陽極板および陰極板を有し、制御部２００からの制御信号に応じて駆動して内部を流れる水を電気分解することによって次亜塩素酸を含む水を機能水として生成する。電解槽ユニット６８は、生成した機能水を噴霧ノズル６８１またはアルカリ性水排出路６８２に流出させる。電解槽ユニット６８の内部には、機能水の流出先を噴霧ノズル６８１とアルカリ性水排出路６８２との間で切り替える切替弁が設けられる。
【００４３】
なお、電解槽ユニット６８は、必ずしも噴霧ノズル６８１およびアルカリ性水排出路６８２の両方を備えたものであることを要さず、たとえば噴霧ノズル６８１のみを備える構成であってもよい。この場合、機能水の流出先を噴霧ノズル６８１とアルカリ性水排出路６８２との間で切り替える切替弁は不要である。
【００４４】
逆流防止機構９０は、給水路５０に設けられたタンク９１と、上流側給水路５１に連通し、タンク９１の内部に水を流入させる入水口９２と、下流側給水路５２に連通し、タンク９１の内部の水を下流側給水路５２へ流出させる流出口９３とを備える。また、逆流防止機構９０は、入水口９２との間にエアギャップを形成するように設けられ、タンク９１の内部の余剰水を排出するオーバーフロー口９４と、タンク９１の内部の水位を検知するフロートスイッチ９５（水位検知部の一例）とを備える。
【００４５】
定流量弁６３を通過した水は、入水口９２からタンク９１の内部に流入する。流入した水はタンク９１の内部に貯留されるが、その水位が満水位Ｈ１を超えると、オーバーフロー口９４からタンク９１の外部（便器１０）へ余剰水として流出する。
【００４６】
オーバーフロー口９４は、入水口９２よりも低い位置に設けられる。したがって、入水口９２とオーバーフロー口９４との間には大気開放した空間（エアギャップ）が形成される。これにより、タンク９１の水位が上昇しても、タンク９１の内部に貯留されている水が入水口９２に到達するより前にオーバーフロー口９４からタンク９１の外部へ排出されることとなる。このため、タンク９１から上流への汚水の逆流を防止することができる。
【００４７】
フロートスイッチ９５は、タンク９１の内部に配置され、タンク９１内の水位の変動に伴ってフロートが上下動することでＯＮ／ＯＦＦを行うスイッチである。具体的には、フロートスイッチ９５は、タンク９１の内部の水位が所定の高水位以上である場合に、制御部２００に対してＯＮ信号を出力する。また、フロートスイッチ９５は、タンク９１の内部の水位が所定の低水位以下である場合に、制御部２００に対してＯＦＦ信号を出力する。「高水位」は、満水位Ｈ１の半分よりも高い所定の水位であり、「低水位」は、満水位Ｈ１の半分よりも低い所定の水位である。本実施形態において、「高水位」は満水位Ｈ１に設定されるものとし、「低水位」は、空水位、すなわち、流出口９３から排出可能な全ての水がタンク９１の内部から排出された状態におけるタンク９１内の水位に設定されるものとする。ただし、これに限らず、「高水位」は満水位Ｈ１未満の水位に設定されてもよいし、「低水位」は空水位よりも高い水位に設定されてもよい。
【００４８】
なお、フロートスイッチ９５は、上述した構成に限定されない。たとえば、フロートスイッチ９５は、タンク９１の内部の水位が高水位以上である場合にＯＮ信号を出力する第１のスイッチと、タンク９１の内部の水位が低水位以下である場合にＯＮ信号を出力する第２のスイッチとを備える構成であってもよい。この場合、制御部２００は、第１のスイッチからＯＮ信号が出力され且つ第２のスイッチからＯＦＦ信号が出力されている場合に「高水位」を検出し、第２のスイッチからＯＮ信号が出力され且つ第１のスイッチからＯＦＦ信号が出力されている場合に「低水位」を検出することができる。また、制御部２００は、第１のスイッチおよび第２のスイッチの両方からＯＦＦ信号が出力されている場合に、「高水位」でも「低水位」でもないことを検出することができる。
【００４９】
操作部２２０は、人体の洗浄を開始する開始指示や洗浄を停止する停止指示が使用者によって入力される操作ボタンや操作ツマミなどを備え、トイレ室の適宜位置に設けられる。操作部２２０は、使用者から操作ボタン等を介して入力された開始指示等を示す信号を出力する。なお、操作部２２０としては、たとえばリモートコントローラを用いることができるが、これに限られず、本体部３０に取り付けるものであってもよい。
【００５０】
フロートスイッチ９５や操作部２２０から出力される各種の信号は、制御部２００に入力される。制御部２００は、衛生洗浄装置２０全体を制御し、たとえば、ＣＰＵ（Central  Processing  Unit）などの図示しない演算処理装置や、ＲＡＭ（Random  Access  Memory）などの図示しない記憶装置を備える。
【００５１】
制御部２００は、入力される各種の信号に基づいて電磁弁６２、発熱体７１、ポンプ６４、ノズル４０および電解槽ユニット６８などを制御する処理を行う。
【００５２】
ところで、欧州などの硬水を使用する地域では、カルシウム等のミネラル分が析出して給水路５０に堆積することで、給水路５０を閉塞させるおそれがある。また、給水路５０だけでなく、タンク９１、ストレーナ６５、バキュームブレーカ６６、ノズル４０、噴霧ノズル６８１等にも析出物（スケール）が堆積してこれらを閉塞させるおそれがある。
【００５３】
このため、本実施形態に係る衛生洗浄装置２０は、タンク９１およびタンク９１よりも下流側に堆積したスケールをクエン酸等の酸性溶液を用いて除去するスケール除去処理を実行する。
【００５４】
スケール除去処理は、タンク９１に貯留された酸性溶液を下流側給水路５２に供給することによって下流側給水路５２およびノズル４０等に酸性溶液を充填し、下流側給水路５２およびノズル４０等に堆積したスケールを酸性溶液で溶かす。その後、下流側給水路５２およびノズル４０等に水を供給することにより、スケールの溶解物および酸性溶液を水とともに排出する。これにより、下流側給水路５２およびノズル４０等からスケールが除去される。
【００５５】
なお、かかるスケール除去処理は、使用者の操作部２２０への操作に応じて操作部２２０から出力されるスケール除去モードへの移行指示に従って実行される。
【００５６】
また、衛生洗浄装置２０は、使用者によって投入された酸性溶液をタンク９１に供給する溶液投入部を備える。
【００５７】
ここで、タンク９１に酸性溶液を投入する際、酸性溶液の液跳ねが生じることによって、タンク９１の周辺に配置された周辺部材に酸性溶液が付着するおそれがある。特に、逆流防止機構９０のタンク９１は、貯湯式の衛生洗浄装置が備える貯湯タンクと比べて容量が非常に小さく、液跳ねが生じた場合に、液跳ねした酸性溶液がタンク９１の外部へ飛散しやすいため、周辺部材に酸性溶液が付着し易い。周辺部材に酸性溶液が付着すると、周辺部材が劣化してしまうおそれがあるため、酸性溶液の液跳ねを生じさせないようにすることが望ましい。
【００５８】
そこで、本実施形態に係る衛生洗浄装置２０では、溶液投入部の形状を工夫することで、酸性溶液の液跳ねを抑制して周辺部材への酸性溶液の付着を抑制することとした。
【００５９】
また、タンク９１に酸性溶液を投入する際、タンク９１の満水位Ｈ１を超える量の酸性溶液がタンク９１に投入されると、酸性溶液がタンク９１のオーバーフロー口９４から溢れ出して周辺部材に付着するおそれがある。上述したようにタンク９１の容量は小さいため、たとえばタンク９１内の水位が満水位Ｈ１に近い状態でタンク９１に酸性溶液が投入されることで、酸性溶液が容易にオーバーフロー口９４から溢れ出るおそれがある。
【００６０】
そこで、本実施形態に係る衛生洗浄装置２０では、スケール除去モードへの移行指示を受け付けた場合に、タンク９１の内部の水を排出する排出処理を行った後で、スケール除去処理を実行することで、酸性溶液のオーバーフロー口９４からの漏洩を抑制して周辺部材への酸性溶液の付着を抑制することとした。
【００６１】
＜２．溶液投入部の構成＞
以下、溶液投入部の構成およびスケール除去処理の内容について図３以降を参照して具体的に説明する。まず、溶液投入部の構成について図３〜図７を参照して説明する。図３は、逆流防止機構９０および溶液投入部の斜視図である。また、図４は、逆流防止機構９０および溶液投入部を衛生洗浄装置２０の背面側から見た場合の模式断面図である。
【００６２】
なお、本明細書において「水平」や「鉛直」などの語句は、必ずしも数学的に厳密な精度を必要とするものではなく実質的な公差や誤差などについては許容されるものである。
【００６３】
図３に示すように、溶液投入部１００は、本体部１０１と漏斗部１０２とを備える。図４に示すように、本体部１０１は、衛生洗浄装置２０のケース３１の内部に設けられ、漏斗部１０２は、ケース３１の外部に設けられる。具体的には、ケース３１の上面には凹部３１１が形成されており、かかる凹部３１１の底面に本体部１０１の上流側開口部１１１が固定されている。
【００６４】
通常時において、ケース３１の凹部３１１には、図示しない蓋体が取り付けられており、本体部１０１の上流側開口部１１１にゴミ等の異物が入り込まないようになっている。タンク９１に酸性溶液を投入する場合には、図示しない蓋体を取り外し、本体部１０１の上流側開口部１１１に漏斗部１０２を取り付けた状態とする。
【００６５】
漏斗部１０２は、使用者によって酸性溶液が投入される投入口１２１を有する。かかる漏斗部１０２は、投入口１２１よりも下流側から投入口１２１に向かって開口面積が拡大するいわゆる漏斗形状を有する。
【００６６】
このように、溶液投入部１００は、漏斗部１０２を備えることにより、使用者によって短時間に多量の酸性溶液が投入された場合であっても、本体部１０１が流しきれない酸性溶液を漏斗部１０２にいったん溜めることができる。このため、溶液投入部１００から酸性溶液が溢れ出ることを抑制することができる。また、投入口１２１の開口面積を広くすることで、使用者による酸性溶液の投入を容易化することができる。
【００６７】
また、本実施形態に係る溶液投入部１００は、漏斗部１０２が本体部１０１に対して（言い換えれば、ケース３１に対して）着脱可能である。このため、本体部３０の大型化を抑えつつ、使用者による酸性溶液の投入を容易化することができる。
【００６８】
漏斗部１０２の投入口１２１から使用者によって投入された酸性溶液は、本体部１０１の上流側開口部１１１から本体部１０１の内部に流入し、本体部１０１の下流側開口部１１２（入液口の一例）から本体部１０１の外部に流出する。タンク９１の上部には、上部開口９１１が形成されており、本体部１０１の下流側開口部１１２から流出した酸性溶液は、かかる上部開口９１１を介してタンク９１の内部に供給される。
【００６９】
なお、溶液投入部１００は、必ずしも漏斗部１０２を備えることを要さず、本体部１０１の上流側開口部１１１が酸性溶液の投入口であってもよい。投入口としての上流側開口部１１１は、漏斗状に形成されてもよい。このように構成することで、漏斗部１０２を備える場合と同様の効果を得ることができる。
【００７０】
図５は、溶液投入部１００の本体部１０１の斜視図であり、図６は、溶液投入部１００の本体部１０１をＡ矢視から見た図である。また、図７は、図６におけるＢＢ線断面図である。
【００７１】
図５に示すように、溶液投入部１００の本体部１０１は、上流側開口部１１１と、下流側開口部１１２と、給液路１１３とを備える。上流側開口部１１１は、上方に向けて開口し、下流側開口部１１２は、水平方向に開口する。下流側開口部１１２の下面には、切欠部１１２ａが形成されており、上流側開口部１１１から本体部１０１の内部に流入した酸性溶液は、下流側開口部１１２の切欠部１１２ａからタンク９１へ向けて落下する。
【００７２】
給液路１１３は、本体部１０１の内部に形成され、上流側開口部１１１と下流側開口部１１２とを連通し、上流側開口部１１１から流入した酸性溶液を下流側開口部１１２へ向けて流通させる。
【００７３】
図６および図７に示すように、給液路１１３は、第１延在部分１１３ａと、第２延在部分１１３ｂとを備える。第１延在部分１１３ａは、鉛直方向に延在する部分であり、上流側において上流側開口部１１１に連通し、下流側において第２延在部分１１３ｂに連通する。第２延在部分１１３ｂは、上流側から下流側に向かって広がりながら、水平方向に延在する部分であり、上流側において第１延在部分１１３ａに連通し、下流側において下流側開口部１１２に連通する。
【００７４】
図６に示すように、第２延在部分１１３ｂの水平方向における流路幅は、上流側端部（紙面奥側）から下流側開口部１１２に向かうにつれてＷ１からＷ２（＞Ｗ１）に拡大する。また、図６および図７に示すように、第２延在部分１１３ｂの鉛直方向における流路幅も、上流側端部から下流側開口部１１２に向かうにつれてＷ３からＷ４（＞Ｗ３）に拡大する。
【００７５】
このように、本実施形態に係る溶液投入部１００の給液路１１３は、下流側開口部１１２に向かって流路断面積が拡大する拡大部を備える。
【００７６】
給液路１１３の流路断面積を下流側開口部１１２に向かって拡大させることで、給液路１１３の流路断面積を一定とした場合と比較して、給液路１１３を流れる酸性溶液の流速を低下させることができる。酸性溶液の流速が低下すると、下流側開口部１１２から流出する酸性溶液の流速が低下するため、着液時の衝撃を小さくすることができる。これにより、酸性溶液がタンク９１内の液面に落下する際の液跳ねが抑制され、酸性溶液の液跳ねによる周辺部材への酸性溶液の付着が抑制される。
【００７７】
また、給液路１１３のうち、水平方向に延在する第２延在部分１１３ｂに拡大部を設けることで、給液路１１３を流れる酸性溶液の流速を効率よく低下させることができる。
【００７８】
また、拡大部である第２延在部分１１３ｂは、鉛直方向の流路幅および水平方向の流路幅の両方が下流側開口部１１２に向かうにつれて拡大するように形成される。このように、鉛直方向の流路幅だけでなく、水平方向の流路幅も拡大させることで、鉛直方向の流路幅のみを拡大させる場合と比べ、溶液投入部１００の高さ寸法を低く抑えることができる。したがって、衛生洗浄装置２０の高さ寸法の増大を抑制することができる。
【００７９】
しかも、溶液投入部１００の第２延在部分１１３ｂは、鉛直方向の流路幅よりも水平方向における流路幅の方が大きい、いわゆる扁平形状を有する。かかる形状とすることで、溶液投入部１００の高さ寸法をさらに低く抑えることができ、衛生洗浄装置２０の高さ寸法の増大をさらに抑制することができる。
【００８０】
また、溶液投入部１００は、下流側開口部１１２の下面に形成された切欠部１１２ａから酸性溶液をタンク９１へ向けて落下させる。これにより、下流側開口部１１２に切欠部１１２ａを設けない場合と比較して、下流側開口部１１２からタンク９１外へ飛散する酸性溶液の量を少なくすることができる。したがって、周辺部材への酸性溶液の付着をさらに抑制することができる。
【００８１】
また、図７に示すように、第１延在部分１１３ａとの接続部分における第２延在部分１１３ｂの鉛直方向の流路幅Ｗ５は、第１延在部分１１３ａの流路幅Ｗ０よりも小さく形成される。これにより、第１延在部分１１３ａから第２延在部分１１３ｂに流出する酸性溶液の勢いを弱めることができる。したがって、周辺部材への酸性溶液の付着をさらに抑制することができる。
【００８２】
＜３．溶液投入部からタンクへの酸性溶液の投入位置について＞
次に、溶液投入部１００からタンク９１への酸性溶液の投入位置について図８および図９を参照して説明する。図８は、逆流防止機構９０および溶液投入部１００の平面図であり、図９は、図８におけるＣＣ線断面図である。
【００８３】
図８および図９に示すように、溶液投入部１００は、入水口９２から流出した水がタンク９１に落下する落下位置Ｐ１よりもオーバーフロー口９４から遠い位置である落下位置Ｐ２に酸性溶液を落下させる。
【００８４】
具体的には、入水口９２は、水道管Ａ（図２参照）から供給された水を水平方向に吐出する。入水口９２から吐出された水は、入水口９２と一定の間隔を開けて対向するタンク９１の対向面９１２に衝突した後、タンク９１の内部へ向けて落下する。
【００８５】
一方、溶液投入部１００は、使用者によって投入された酸性溶液を下流側開口部１１２の切欠部１１２ａからタンク９１の内部へ向けて落下させるが、この落下位置Ｐ２が落下位置Ｐ１よりもオーバーフロー口９４から遠くなるように下流側開口部１１２が位置決めされている。言い換えれば、平面視において、溶液投入部１００の下流側開口部１１２は、タンク９１の対向面９１２よりもオーバーフロー口９４から遠い位置に配置される。
【００８６】
このように、オーバーフロー口９４からできるだけ遠い位置に酸性溶液を落下させるようにすることで、オーバーフロー口９４の近くに酸性溶液を落下させた場合と比較して、タンク９１内に供給した酸性溶液をオーバーフロー口９４からタンク９１外へ排出させにくくすることができる。これにより、たとえばタンク９１内に水が残存している場合に、タンク９１の容量を超える量の酸性溶液が投入されたとしても、酸性溶液よりも先に水がオーバーフロー口９４から排出されるようになるため、酸性溶液の無駄な消費を抑えることができる。また、酸性溶液がオーバーフロー口９４から排出されにくくなることで、オーバーフロー口９４から溢れ出た酸性溶液の周辺部材への付着を抑制することもできる。
【００８７】
また、図８および図９に示すように、溶液投入部１００は、入水口９２から流出した水がタンク９１に落下する落下位置Ｐ１よりも流出口９３から遠い位置に酸性溶液を落下させる。すなわち、酸性溶液の落下位置Ｐ２が水の落下位置Ｐ１よりも流出口９３から遠い位置となるように下流側開口部１１２が位置決めされる。言い換えれば、平面視において、溶液投入部１００の下流側開口部１１２は、タンク９１の対向面９１２よりも流出口９３から遠い位置に配置される。
【００８８】
このように、酸性溶液を流出口９３からできるだけ遠い位置に落下させるようにすることで、酸性溶液を流出口９３の近くに落下させた場合と比較して、タンク９１内に水が残存している場合におけるスケール除去効率の低下を抑えることができる。
【００８９】
具体的には、スケール除去処理において、タンク９１内の酸性溶液を下流側給水路５２やノズル４０等に供給する際に、余分な酸性溶液がノズル４０から便器１０へ排出されることがある。ノズル４０から排出される酸性溶液は、スケール除去処理の開始直後に流出口９３によってタンク９１から吸い出される酸性溶液、つまり、流出口９３の近くに存在する酸性溶液である。仮にタンク９１内に水が残存している場合に、酸性溶液を流出口９３の近くに落下させたとすると、タンク９１内に残存している水が流出口９３から遠い位置に追い出され、流出口９３の近くに酸性溶液が存在した状態となる。この結果、水よりも先に酸性溶液が流出口９３から吸い出されてノズル４０から無駄に排出される可能性がある。
【００９０】
これに対し、酸性溶液を流出口９３から遠い位置に落下させた場合には、酸性溶液よりも先に水が流出口９３から吸い出されてノズル４０から排出されることとなるため、酸性溶液の無駄な消費を抑えることができる。また、タンク９１内に残存する水によって希釈されていない濃度の高い（所望の濃度から極力下がっていない）酸性溶液を下流側給水路５２やノズル４０等に供給することができる。したがって、タンク９１内に水が残存している場合におけるスケール除去効率の低下を抑えることができる。
【００９１】
また、酸性溶液を流出口９３から遠い位置に落下させることで、タンク９１内の隅々に酸性溶液を行き渡らせることができる。このため、タンク９１の内部に堆積したスケールを効率よく除去することができる。
【００９２】
なお、図９に示すように、タンク９１は、第１貯留部９１３と、第１貯留部９１３に連通し、且つ、第１貯留部９１３よりも深い第２貯留部９１４とを備え、流出口９３、オーバーフロー口９４およびフロートスイッチ９５（図示せず）は、第２貯留部９１４に配置される。また、第１貯留部９１３の上部に上部開口９１１（図３参照）が設けられており、溶液投入部１００は、第１貯留部９１３に酸性溶液を落下させる。
【００９３】
流出口９３は、第１貯留部９１３の底面よりも低い位置、具体的には、第２貯留部９１４の底面近傍に配置される。ただし、流出口９３と第２貯留部９１４の底面との間には僅かに隙間が設けられるため、流出口９３よりも低い位置に水または酸性溶液が残存する可能性がある。このときのタンク９１内の水位が空水位Ｈ２であり、フロートスイッチ９５は、タンク９１の満水位Ｈ１と空水位Ｈ２とを検知する。
【００９４】
なお、逆流防止機構９０は水平式逆流防止機構であるため、垂直方向に水を吐出する垂直式逆流防止機構である場合と比べて、衛生洗浄装置２０の小型化を図ることができる。また、逆流防止機構９０は、タンク９１と一体的に形成されるため、衛生洗浄装置２０の小型化をより一層図ることができる。
【００９５】
＜４．スケール除去処理について＞
次に、スケール除去処理の具体的な動作について図１０および図１１を参照して説明する。図１０は、スケール除去モードにおける処理手順を示すフローチャートである。図１１は、スケール除去処理の処理手順を示すフローチャートである。なお、図１０および図１１に示す処理は、衛生洗浄装置２０が備えるポンプ６４、切替弁６７、ノズル４０等を制御部２００が制御することによって実行される。
【００９６】
図１０に示すように、制御部２００は、スケール除去モードへの移行指示を受け付けたか否かを判定する（ステップＳ１０１）。具体的には、制御部２００は、操作部２２０から出力されるスケール除去モードへの移行指示を受信した場合に、スケール除去モードへの移行指示を受け付けたと判定する。
【００９７】
制御部２００は、スケール除去モードへの移行指示を受け付けるまで、ステップＳ１０１の判定処理を繰り返す（ステップＳ１０１，Ｎｏ）。一方、ステップＳ１０１においてスケール除去モードへの移行指示を受け付けたと判定した場合（ステップＳ１０１，Ｙｅｓ）、制御部２００は、スケール除去処理に先立ち、排水処理を実行する（ステップＳ１０２）。
【００９８】
排水処理は、タンク９１の内部の水を排出する処理である。具体的には、制御部２００は、ポンプ６４を駆動させてタンク９１内の水をノズル４０から排出する。制御部２００は、たとえば、排水処理を開始してから予め決められた時間が経過したときに排水処理を終了する。あるいは、制御部２００は、フロートスイッチ９５によって空水位Ｈ２が検知されたときに排水処理を終了する。
【００９９】
その後、制御部２００は、スケール除去処理を開始する（ステップＳ１０３）。具体的には、図１１に示すように、制御部２００は、酸性溶液の１回目の投入が完了したか否かを判定する（ステップＳ２０１）。具体的は、制御部２００は、操作部２２０から出力される投入完了通知を受信した場合に、酸性溶液の１回目の投入が完了したと判定する。投入完了通知は、使用者が、酸性溶液を溶液投入部１００の漏斗部１０２へ投入した後、操作部２２０を操作することによって操作部２２０から制御部２００へ送信される。
【０１００】
制御部２００は、投入完了通知を受信するまで、ステップＳ２０１の判定処理を繰り返す（ステップＳ２０１，Ｎｏ）。一方、ステップＳ２０１において投入完了通知を受信したと判定した場合（ステップＳ２０１，Ｙｅｓ）、制御部２００は、ポンプ６４を駆動させることにより、タンク９１の内部に貯留された酸性溶液をタンク９１から吸い出して下流側給水路５２やノズル４０等に充填する（ステップＳ２０２）。制御部２００は、ポンプ６４の駆動を開始させてから予め決められた時間が経過したとき、または、フロートスイッチ９５によって空水位Ｈ２が検知されたときに、ステップＳ２０２の処理を終了する。
【０１０１】
ステップＳ２０２において、制御部２００は、切替弁６７を駆動させて酸性溶液の流出先を切り替えることにより、切替弁６７よりも下流側の各流路、具体的には、ノズル４０の各吐出口４１への流路、噴霧ノズル６８１への流路、アルカリ性水排出路６８２に酸性溶液を充填させる。ただし、タンク９１の容量は小さいため、タンク９１に対して１回の投入動作によってタンク９１に投入される酸性溶液だけでは、下流側給水路５２およびノズル４０等の全てに酸性溶液を行き渡らせることができない。そこで、本実施形態に係る衛生洗浄装置２０では、タンク９１内への酸性溶液の投入を２回行うことで、下流側給水路５２およびノズル４０等の全てに酸性溶液を行き渡らせることとしている。
【０１０２】
つづいて、制御部２００は、酸性溶液の２回目の投入が完了したか否かを判定する（ステップＳ２０３）。具体的には、制御部２００は、操作部２２０から出力される投入完了通知を再度受信した場合に、酸性溶液の２回目の投入が完了したと判定する。制御部２００は、投入完了通知を受信するまで、ステップＳ２０３の判定処理を繰り返す（ステップＳ２０３，Ｎｏ）。
【０１０３】
ステップＳ２０３において２回目の投入完了通知を受信したと判定した場合（ステップＳ２０３，Ｙｅｓ）、制御部２００は、ポンプ６４を再度駆動させることにより、タンク９１の内部に貯留された酸性溶液をタンク９１から吸い出して下流側給水路５２やノズル４０等に充填する（ステップＳ２０４）。これにより、下流側給水路５２およびノズル４０等の全てに酸性溶液が充填される。制御部２００は、ポンプ６４の駆動を開始させてから予め決められた時間が経過したとき、または、フロートスイッチ９５によって空水位Ｈ２が検知されたときに、ステップＳ２０４の処理を終了する。
【０１０４】
このように、制御部２００は、スケール除去処理において、流出口９３から排出可能な全ての酸性溶液を下流側給水路５２およびノズル４０等に供給する動作を複数回行うことにより、タンク９１に貯留された酸性溶液で下流側給水路５２およびノズル４０を満たすこととした。これにより、タンク９１の容量が小さい場合であっても、下流側給水路５２およびノズル４０等の全てに酸性溶液を充填させることができる。
【０１０５】
なお、ここでは、酸性溶液の充填処理を２回行うこととしたが、充填処理の回数は、タンク９１の容量と、下流側給水路５２およびノズル４０等を満たすのに必要な酸性溶液の量とに基づいて決定されるものであり、２回に限定されない。
【０１０６】
つづいて、制御部２００は、下流側給水路５２およびノズル４０等の全てを酸性溶液で満たした状態で所定時間待機する（ステップＳ２０５）。これにより、下流側給水路５２およびノズル４０等の内部に堆積したスケールが酸性溶液によって溶解される。また、タンク９１の内部に堆積したスケールも酸性溶液によって溶解される。
【０１０７】
その後、制御部２００は、ポンプ６４を再び駆動させてタンク９１内の酸性溶液をノズル４０から排出する（ステップＳ２０６）。また、制御部２００は、ポンプ６４を駆動させた状態で、電磁弁６２を駆動させることによって、タンク９１の内部に水を供給するとともに、タンク９１内の水をノズル４０、噴霧ノズル６８１およびアルカリ性水排出路６８２から排出する処理を行う。これにより、タンク９１、下流側給水路５２およびノズル４０等に残存する酸性溶液が水に置換される。ステップＳ２０６の処理を終えると、制御部２００は、スケール除去処理を終えるとともに、スケール除去モードを終了する。
【０１０８】
このように、本実施形態に係る衛生洗浄装置２０では、スケール除去モードへの移行指示を受け付けた場合に、スケール除去処理の実行前に、タンク９１の内部の水を排出する排水処理を行うこととした。
【０１０９】
使用者は、たとえば説明書を読んだり、操作部２２０に表示される情報を閲覧したりすることにより、タンク９１に投入すべき酸性溶液の適正量を知ることができる。しかしながら、使用者は、タンク９１の内部に貯留されている水の量を知ることはできない。このため、使用者によって適正量の酸性溶液がタンク９１に投入されたとしても、タンク９１の内部に貯留されている水の量によっては、酸性溶液がオーバーフロー口９４から溢れ出てしまうおそれがある。
【０１１０】
これに対し、本実施形態に係る衛生洗浄装置２０では、スケール除去モードへの移行指示を受け付けた場合に、排水処理を行ってタンク９１の内部の水を排出することで、酸性溶液のオーバーフロー口９４からの漏洩を抑制することができる。したがって、本実施形態に係る衛生洗浄装置２０によれば、タンク９１の周辺に配置される周辺部材に酸性溶液が付着することを抑制することが可能である。
【０１１１】
また、制御部２００は、排水処理を行うことにより、流出口９３から排出可能な全ての水をタンク９１の内部から排出することとした。言い換えれば、制御部２００は、排水処理を行うことにより、タンク９１内の水位を空水位Ｈ２にすることとした。これにより、タンク９１の内部により多くの酸性溶液を貯留することができる。また、タンク９１内に残存する水によって酸性溶液が希釈されることを防止することができる。
【０１１２】
なお、ここでは、排水処理において、タンク９１内の水位を空水位Ｈ２にすることとしたが、排水処理後の水位は必ずしも空水位Ｈ２であることを要しない。たとえば、制御部２００は、排水処理を行うことにより、タンク９１の内部の水位を空水位Ｈ２よりも高く且つ満水位Ｈ１よりも低い予め決められた水位にしてもよい。これによっても、排水処理を行わない場合と比較して、オーバーフロー口９４からの酸性溶液の漏洩や残存する水による酸性溶液の希釈を抑制することが可能である。また、たとえば、タンク９１内に予め決められた量の水を残しつつ、使用者に酸性溶液の原液を投入させるようにすることで、使用者の手を煩わせることなく、タンク９１内で酸性溶液を所望の濃度に希釈することも可能である。
【０１１３】
ところで、使用者によって投入された酸性溶液の量が適正量を超えている場合、スケール除去処理前に排水処理を行ったとしても、オーバーフロー口９４から酸性溶液が溢れ出すおそれがある。そこで、衛生洗浄装置２０では、オーバーフロー口９４から酸性溶液が溢れ出すことをより確実に抑制するための排液処理を行うこととしている。
【０１１４】
かかる排液処理の内容について図１２を参照して説明する。図１２は、排液処理の処理手順を示すフローチャートである。
【０１１５】
なお、酸性溶液は、スケール除去モード時以外にも誤って投入される可能性がある。このため、排液処理は、スケール除去モード中であるか否かにかかわらず実行される。
【０１１６】
図１２に示すように、制御部２００は、フロートスイッチ９５によって満水位Ｈ１が検知されたか否かを判定する（ステップＳ３０１）。制御部２００は、満水位Ｈ１が検知されるまで、ステップＳ３０１の処理を繰り返す（ステップＳ３０１，Ｎｏ）。
【０１１７】
ステップＳ３０１において満水位Ｈ１が検知されたと判定すると（ステップＳ３０１，Ｙｅｓ）、制御部２００は、ポンプ６４を駆動させることにより（ステップＳ３０２）、タンク９１内の酸性溶液（または水）をノズル４０から排出する。
【０１１８】
つづいて、制御部２００は、満水位Ｈ１が解消されたか否か、つまり、フロートスイッチ９５よって満水位Ｈ１が検知されなくなったか否かを判定する（ステップＳ３０３）。
【０１１９】
ステップＳ３０３において、満水位Ｈ１が解消されたと判定すると（ステップＳ３０３，Ｙｅｓ）、制御部２００は、ポンプ６４を停止させて（ステップＳ３０４）、排液処理を終了する。
【０１２０】
一方、ステップＳ３０３において満水位Ｈ１が解消されない場合（ステップＳ３０３，Ｎｏ）、制御部２００は、ポンプ６４の駆動時間が閾値を超えたか否かを判定し（ステップＳ３０５）、超えていない場合には（ステップＳ３０５，Ｎｏ）、処理をステップＳ３０３へ戻す。
【０１２１】
ステップＳ３０５においてポンプ６４の駆動時間が閾値を超えたと判定した場合（ステップＳ３０５，Ｙｅｓ）、制御部２００は、上述したスケール除去処理を開始して（ステップＳ１０３）、排液処理を終了する。
【０１２２】
このように、制御部２００は、フロートスイッチ９５よって満水位Ｈ１が検知された場合に、タンク９１の内部の酸性溶液を排出する排液処理を実行することとした。したがって、オーバーフロー口９４から酸性溶液が溢れ出すことをより確実に防止することができる。
【０１２３】
なお、ここでは、満水位Ｈ１が検知された場合に排液処理を実行することとしたが、排液処理は、少なくとも、タンク９１の内部の水位が満水位Ｈ１の半分の水位よりも高い高水位であることがフロートスイッチ９５よって検知された場合に実行されればよい。
【０１２４】
また、制御部２００は、排液処理においてポンプ６４の駆動時間が閾値を超えた場合、つまり、満水位Ｈ１の状態が一定時間継続した場合に、スケール除去モードへの移行指示を受け付けたか否かにかかわらずスケール除去処理を実行することとした。これにより、酸性溶液が無駄に排出されることを抑制することができる。
【０１２５】
なお、制御部２００は、排液処理を実行した場合に、ポンプ６４の駆動時間にかかわらず必ずスケール除去処理を実行するようにしてもよい。これにより、タンク９１や下流側給水路５２の内部に酸性溶液が残存したままの状態となることを防止することができる。
【０１２６】
次に、スケール除去モード時における衛生洗浄装置２０の動作例について図１３を参照して説明する。図１３は、スケール除去モード時における衛生洗浄装置２０の動作例を示すタイミングチャートである。
【０１２７】
なお、図１３においては、上から順に、電磁弁６２の開閉状態、タンク９１の水位、ポンプ６４の駆動状態を示している。スケール除去モードへの移行前において、電磁弁６２は閉状態、ポンプ６４はＯＦＦ状態となっている。また、タンク９１の内部には、所定量の水が貯留されているものとする。
【０１２８】
図１３に示すように、スケール除去モードへ移行すると、まず、ポンプ６４が駆動し（Ｔ１）、タンク９１内の水が排出される（排水処理）。その後、タンク９１内の水位が空水位Ｈ２となると、ポンプ６４が停止する（Ｔ２）。
【０１２９】
つづいて、使用者によってタンク９１の内部に酸性溶液が投入され、タンク９１内の水位が上昇する。このとき、タンク９１内の水位が満水位Ｈ１を超えると（Ｔ３）、ポンプ６４が駆動し、余剰な酸性溶液がタンク９１から排出される（排液処理）。その後、タンク９１内の水位が満水位Ｈ１を下回ると、ポンプ６４が停止する（Ｔ４）。
【０１３０】
つづいて、使用者が操作部２２０を用いて投入完了通知の送信を行うと、ポンプ６４が駆動し（Ｔ５）、タンク９１の内部の酸性溶液が下流側給水路５２やノズル４０等に充填される。タンク９１の内部の水位が空水位Ｈ２となると、ポンプ６４が停止する（Ｔ６）。
【０１３１】
つづいて、使用者によってタンク９１の内部に酸性溶液が再度投入され、タンク９１内の水位が上昇する。その後、使用者が操作部２２０を用いて投入完了通知の送信を行うと、ポンプ６４が駆動し（Ｔ７）、タンク９１の内部の酸性溶液が下流側給水路５２やノズル４０等に充填される。
【０１３２】
つづいて、タンク９１の内部の水位が、たとえば満水位Ｈ１の半分の水位となったとき（Ｔ８）、ポンプ６４が一旦停止する。そして、一定時間待機した後、ポンプ６４が再度駆動し（Ｔ９）、タンク９１内の酸性溶液が下流側給水路５２やノズル４０等に再び充填される。その後、タンク９１内の水位が空水位Ｈ２となると、ポンプ６４が停止する（Ｔ１０）。
【０１３３】
つづいて、一定時間待機した後（Ｔ１１）、電磁弁６２が開状態となることでタンク９１内に水が供給され、且つ、ポンプ６４が駆動することで、タンク９１内に供給された水が下流側給水路５２およびノズル４０等を通って便器１０へ排出される。これにより、下流側給水路５２およびノズル４０等に残存する酸性溶液が排出される。
【０１３４】
その後、一定時間経過した後（Ｔ１２）、電磁弁６２が閉状態となり、且つ、ポンプ６４が停止して、スケール除去モードが終了する。
【０１３５】
上述してきたように、本実施形態に係る衛生洗浄装置２０は、ノズル４０と、給水路５０と、逆流防止機構９０と、溶液投入部１００とを備える。ノズル４０は、使用者の局部へ向けて水を吐出する。給水路５０は、ノズル４０に水を供給する。逆流防止機構９０は、給水路５０に設けられたタンク９１と、給水路５０のうちタンク９１より上流側に位置する上流側給水路５１に連通し、タンク９１の内部に水を流入させる入水口９２と、給水路５０のうちタンク９１より下流側に位置する下流側給水路５２に連通し、タンク９１の内部の水を下流側給水路５２へ流出させる流出口９３と、入水口９２との間にエアギャップを形成するように設けられ、タンク９１の内部の余剰水を排出するオーバーフロー口９４とを備える。溶液投入部１００は、使用者によって酸性溶液が投入される投入口１２１と、投入口１２１から投入された酸性溶液を流通させる給液路１１３と、給液路１１３を流れる酸性溶液をタンク９１に流入させる下流側開口部１１２（入液口の一例）とを備える。また、溶液投入部１００の給液路１１３は、下流側開口部１１２に向かって流路断面積が拡大する拡大部を備える。
【０１３６】
また、本実施形態に係る衛生洗浄装置２０は、ノズル４０と、給水路５０と、逆流防止機構９０と、溶液投入部１００と、制御部２００とを備える。ノズル４０は、使用者の局部へ向けて水を吐出する。給水路５０は、ノズル４０に水を供給する。逆流防止機構９０は、給水路５０に設けられたタンク９１と、給水路５０のうちタンク９１より上流側に位置する上流側給水路５１に連通し、タンク９１の内部に水を流入させる入水口９２と、給水路５０のうちタンク９１より下流側に位置する下流側給水路５２に連通し、タンク９１の内部の水を下流側給水路５２へ流出させる流出口９３と、入水口９２との間にエアギャップを形成するように設けられ、タンク９１の内部の余剰水を排出するオーバーフロー口９４とを備える。溶液投入部１００は、使用者によって投入された酸性溶液をタンク９１に供給する。制御部２００は、スケール除去モードへの移行指示を受け付けた場合に、タンク９１に貯留された酸性溶液を下流側給水路５２およびノズル４０に充填し、その後、下流側給水路５２およびノズル４０から酸性溶液を排出するスケール除去処理を実行する。また、制御部２００は、スケール除去モードへの移行指示を受け付けた場合に、タンク９１の内部の水を排出する排水処理を行った後で、スケール除去処理を実行する。
【０１３７】
したがって、本実施形態に係る衛生洗浄装置２０によれば、酸性溶液を貯留するタンク９１の周辺に配置される周辺部材に酸性溶液が付着することを抑制することができる。
【０１３８】
上述した実施形態では、スケール除去処理の実行前に排水処理を行うこととした。これに限らず、制御部２００は、フロートスイッチ９５によってタンク９１の内部の水位が満水位Ｈ１の半分の水位よりも低い低水位未満であることが検知された場合に、排水処理を行うことなく、スケール除去処理を実行してもよい。たとえば、制御部２００は、タンク９１の内部の水位が空水位Ｈ２であることがフロートスイッチ９５によって検知されている場合には、排水処理を省略してもよい。このようにすることで、早期にスケール除去処理を開始することができ、使用者の待ち時間を短縮することができる。
【０１３９】
また、上述した実施形態では、タンク９１の内部の水位を検知する水位検知部がフロートスイッチ９５である場合の例について説明したが、水位検知部は、必ずしもフロートスイッチ９５であることを要しない。たとえば、水位検知部は、液面センサ等であってもよい。
【０１４０】
（第２の実施形態）
次に、溶液投入部が備える本体部の他の構成例について図１４〜図１６を参照して説明する。図１４は、第２の実施形態に係る溶液投入部の本体部の斜視図であり、図１５は、第２の実施形態に係る溶液投入部の本体部の底面図である。また、図１６は、後述するカバー体を取り外した状態における本体部の斜視図である。
【０１４１】
図１４および図１５に示すように、第２の実施形態に係る本体部１０１Ａは、給液路１１３Ａの下流側が下方に延在しており、その下流側端部に、鉛直方向に開口する下流側開口部１１２Ａを有する。
【０１４２】
具体的には、図１６に示すように、第２の実施形態に係る本体部１０１Ａの給液路１１３Ａは、第１延在部分１１３ａおよび第２延在部分１１３ｂに加えて第３延在部分１１３ｃを備える。第３延在部分１１３ｃは、鉛直方向に延在する部分であり、上流側において第２延在部分１１３ｂに連通し、下流側において下流側開口部１１２Ａに連通する。
【０１４３】
第３延在部分１１３ｃにおける流路断面積は、拡大部が設けられる第２延在部分１１３ｂの上流側端部における流路断面積よりも大きく、第２延在部分１１３ｂの下流側端部における流路断面積よりも小さい。
【０１４４】
カバー体１１４は、第３延在部分１１３ｃの一部を構成する部材であり、本体部１０１Ａに対して着脱可能に設けられる。
【０１４５】
このように、第２の実施形態に係る本体部１０１Ａは、下方に延在する第３延在部分１１３ｃを備え、かかる第３延在部分１１３ｃの下流側端部に下流側開口部１１２Ａを設けることとした。これにより、第１の実施形態に係る本体部１０１と比較して、下流側開口部１１２Ａをタンク９１の上部開口９１１に近づけることができる。したがって、下流側開口部１１２Ａから流出した酸性溶液がタンク９１の周辺部材に付着することを抑制することができる。
【０１４６】
なお、第３延在部分１１３ｃは、たとえば、タンク９１の上部開口９１１（図３参照）と同一の高さ位置、あるいは、上部開口９１１よりも低い位置まで延在していることが好ましい。言い換えれば、本体部１０１Ａの下流側開口部１１２Ａは、タンク９１の上部開口９１１と同一の高さ位置、あるいは、上部開口９１１よりも低い位置に配置されることが好ましい。このように構成することで、下流側開口部１１２Ａから流出した酸性溶液がタンク９１の周辺部材に付着することをより確実に抑制することができる。
【０１４７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１４８】
Ａ  水道管
１  トイレ装置
１０  便器
２０  衛生洗浄装置
４０  ノズル
５０  給水路
５１  上流側給水路
５２  下流側給水路
７０  熱交換器
９０  逆流防止機構
９１  タンク
９２  入水口
９３  流出口
９４  オーバーフロー口
９５  フロートスイッチ
１００  溶液投入部
１０１  本体部
１０２  漏斗部
１１１  上流側開口部
１１２  下流側開口部
１１３  給液路
２００  制御部
【図１】
2019027012.tif 000003
【図２】
2019027012.tif 000004
【図３】
2019027012.tif 000005
【図４】
2019027012.tif 000006
【図５】
2019027012.tif 000007
【図６】
2019027012.tif 000008
【図７】
2019027012.tif 000009
【図８】
2019027012.tif 000010
【図９】
2019027012.tif 000011
【図１０】
2019027012.tif 000012
【図１１】
2019027012.tif 000013
【図１２】
2019027012.tif 000014
【図１３】
2019027012.tif 000015
【図１４】
2019027012.tif 000016
【図１５】
2019027012.tif 000017
【図１６】
2019027012.tif 000018